(57)【特許請求の範囲】
【請求項１】
被制御室内の湿度を計測し、この計測湿度が設定湿度よりも高い場合、取込空気を冷却して除湿を行い、この冷却・除湿した取入空気を目標温度まで再熱して前記被制御室内へ供給する恒温恒湿空調制御システムにおいて、
前記取込空気の通過通路に並設され前記取込空気が分流して通過する第１の冷水コイルおよび第２の冷水コイルと、
これら冷水コイルの下流側に並設され前記取込空気が分流して通過する第１の温水コイルおよび第２の温水コイルと、
前記計測湿度と設定湿度との差に応じ、その湿度差が所定の範囲内にある場合には前記第１の冷水コイルのみを使用して前記取込空気の冷却・除湿を行い、この冷却・除湿した取込空気の温度と再熱する際の目標温度との差に応じ、その温度差が所定の範囲内にある場合には前記第１の温水コイルのみを使用して再熱を行う制御手段と
を備えたことを特徴とする恒温恒湿空調制御システム。
【請求項２】
請求項１において、前記制御手段は、前記計測湿度と設定湿度との差に応じ、その湿度差が前記所定の範囲を越えている場合には、前記第２の冷水コイルを追加使用して前記取込空気の冷却または冷却・除湿を行うことを特徴とする恒温恒湿空調制御システム。
【請求項３】
請求項１において、前記制御手段は、前記冷却・除湿した取込空気を再熱する際の目標温度との差に応じ、その温度差が所定の範囲を越えている場合には、前記第２の温水コイルを追加使用して再熱を行うことを特徴とする恒温恒湿空調制御システム。
【発明の詳細な説明】
【０００１】
【発明の属する技術分野】
この発明は、クリーンルーム，美術館，収蔵庫など室内環境が恒温・恒湿であることが要求される室内の恒温恒湿空調制御システムに関するものである。
【０００２】
【従来の技術】
手術室や実験用動物飼育室，生物工学研究室などのバイオロジカルクリーンルームや、電子工業や精密機械工業の工場などに設けられたインダストリアルクリーンルーム，美術館，収蔵庫などでは、その目的上、温度・湿度などの室内環境がほゞ一定に保たれる必要がある。
【０００３】
従来の恒温恒湿空調制御システムの要部を図６に示す。同図において、１は空調機、２は被制御室、３は制御装置、ＣＶ，ＨＶ，ＭＶは制御弁である。空調機１は冷水コイル１Ａと温水コイル１Ｂと加湿器１Ｃと送風機１Ｄを有している。制御弁ＣＶは冷水コイル１Ａへの冷水の供給通路に、制御弁ＨＶは温水コイル１Ｂへの温水の供給通路に、制御弁ＭＶは加湿器１Ｃへの蒸気の供給通路に設けられている。被制御室２には温度センサ２Ａと湿度センサ２Ｂが設けられている。
【０００４】
制御装置３は、温度センサ２Ａからの被制御室２内の計測温度ｔｐｖと湿度センサ２Ｂからの被制御室２内の計測湿度ｈｐｖを入力とし、計測温度ｔｐｖと設定温度ｔｓｐとが一致するように、また計測湿度ｈｐｖと設定湿度ｈｓｐとが一致するように、制御弁ＣＶ，ＨＶ，ＭＶの開度を制御する。空調機１は、外気ＯＡと被制御室２からのレタン空気ＲＡとの混合空気ＭＩＸを取込空気とし、この取入空気ＭＩＸの温湿度を調整し、給気ＳＡとして被制御室２へ供給する。
【０００５】
〔ｈｐｖ＞ｈｓｐの時の動作〕
制御装置３は、計測湿度ｈｐｖが設定湿度ｈｓｐよりも大きい場合（ｈｐｖ＞ｈｓｐ）、この計測湿度ｈｐｖと設定湿度ｈｓｐとの差Δｈに応じた量だけ制御弁ＣＶを開く（図７（ｂ）参照）。これにより、冷水コイル１Ａに冷水が供給され、混合空気ＭＩＸが冷却・除湿される。
【０００６】
この時の冷却・除湿の様子を図８の空気線図上に示す。取入空気ＭＩＸは、外気ＯＡとレタン空気ＲＡとの混合空気であり、外気ＯＡの状態点ＰOAとレタン空気ＲＡの状態点ＰRAとを結ぶ直線上のＰMIX 点にある。このＰMIX 点にある取込空気ＭＩＸが冷水コイル１Ａにより冷却されて、露点温度に達し（Ｐ１点）、水分が吐き出され始める。これにより、状態点が飽和線に沿って下方へ移動し、状態点Ｐ２に達する。この状態点Ｐ２までの移動により、取入空気ＭＩＸの絶対湿度が被制御室２内の湿度をｈｐｖ＝ｈｓｐとするために必要な値とされる。
【０００７】
次に、制御装置３は、状態点Ｐ２にある取込空気ＭＩＸを再熱する。この再熱に際し、制御装置３は、ｔｐｖ＝ｔｓｐとすべき被制御室２への給気ＳＡの目標温度を演算し、この目標温度と状態点Ｐ２にある取込空気ＭＩＸの温度との差ΔＴに応じた量だけ制御弁ＨＶを開く（図７（ａ）参照）。これにより、温水コイル１Ｂに温水が供給され、冷水コイル１Ａを使用して冷却・除湿された取込空気ＭＩＸが再熱され、その状態点がＰ２からＰSAまで移動する。この状態点ＰSAの給気ＳＡが被制御室２へ供給されることによって、被制御室２内の湿度がｈｐｖ＝ｈｓｐに、温度がｔｐｖ＝ｔｓｐに合わせ込まれる。
【０００８】
【発明が解決しようとする課題】
図８に示した冷却・除湿→再熱の動作は、主として夏期に行われるが、負荷が軽い中間期にも行われることがある。この場合、制御装置３は、中間期においても夏期と同様、取入空気ＭＩＸの全量Ｑを冷却・除湿し、再熱する。このため、エネルギーが過大に使用され、省エネルギーを妨げていた。
【０００９】
本発明はこのような課題を解決するためになされたもので、その目的とするところは、軽負荷時の冷却・除湿→再熱に必要なエネルギーを削減し、省エネルギーを実現することの可能な恒温恒湿空調制御システムを提供することにある。
【００１０】
【課題を解決するための手段】
このような目的を達成するために本発明は、取込空気の通過通路に第１の冷水コイルおよび第２の冷水コイルを並設し、これら冷水コイルの下流側に第１の温水コイルおよび第２の温水コイルを並設し、計測湿度と設定湿度との差に応じ、その湿度差が所定の範囲内にある場合には第１の冷水コイルのみを使用して取込空気の冷却・除湿を行い、この冷却・除湿した取込空気の温度と再熱する際の目標温度との差に応じ、その温度差が所定の範囲内にある場合には第１の温水コイルのみを使用して再熱を行うようにしたものである。
【００１１】
この発明によれば、計測湿度と設定湿度との差が所定の範囲内にある場合（軽負荷時）には、第１の冷水コイルのみを使用して取込空気の冷却・除湿が行われる。すなわち、取込空気が分流して第１の冷水コイルおよび第２の冷水コイルを通過するが、第１の冷水コイルを通過する取入空気にのみ冷却・除湿が行われ、第２の冷水コイルを通過する取入空気には冷却・除湿が行われない。
また、冷却・除湿した取込空気の温度と再熱する際の目標温度との差が所定の範囲内にある場合（軽負荷時）には、第１の温水コイルのみを使用して再熱が行われる。すなわち、第１の冷水コイルおよび第２の冷水コイルを通過した取込空気が分流して第１の温水コイルおよび第２の温水コイルを通過するが、第１の温水コイルを通過する取入空気にのみ再熱が行われ、第２の温水コイルを通過する取入空気には再熱が行われない。
被制御室には、この第１の温水コイルを通過した取入空気と第２の温水コイルを通過した取入空気との混合空気、すなわち冷却・除湿→再熱が施された取入空気と冷却・除湿→再熱が施されていない取入空気との混合空気が供給される。
【００１２】
なお、計測湿度と設定湿度との差が所定の範囲を越えている場合には、第２の冷水コイルを追加使用して取込空気の冷却または冷却・除湿を行う。
また、冷却・除湿した取込空気を再熱する際の目標温度との差が所定の範囲を越えている場合には、第２の温水コイルを追加使用して再熱を行う。
これにより、負荷が重くなると、第１の冷水コイルと第２の冷水コイルを使用して冷却・除湿が行われ、第１の温水コイルと第２のコイルを使用して再熱が行われる。
【００１３】
【発明の実施の形態】
以下、本発明を図面に基づいて詳細に説明する。図１はこの発明の一実施の形態を示す恒温恒湿空調制御システムの計装図である。同図において、１’は空調機、２は被制御室、３’は制御装置、ＣＶＡ，ＣＶＢ，ＨＶＡ，ＨＶＢ，ＭＶは制御弁である。空調機１は、第１の冷水コイル（Ｗｅｔコイル）１Ａ１および第２の冷水コイル（Ｄｒｙコイル）１Ａ２と、第１の温水コイル１Ｂ１および第２の温水コイル１Ｂ２と、加湿器１Ｃと、送風機１Ｄを有している。なお、本実施の形態では、冷水コイル１Ａ１の能力の方が冷水コイル１Ａ２の能力よりも高くされている。また、温水コイル１Ｂ１の能力の方が温水コイル１Ｂ２の能力よりも高くされている。この能力の違いは逆としてもよい。
【００１４】
冷水コイル１Ａ１，１Ａ２は取入空気（外気ＯＡとレタン空気ＲＡとの混合空気）ＭＩＸの通過通路に並設されている。すなわち、従来の冷水コイル１Ａを分割した形で配置されており、取入空気ＭＩＸの全量をＱとした場合、ＱＡとＱＢとに分かれて通過する（Ｑ＝ＱＡ＋ＱＢ：以下、取入量ＱＡの取入空気ＭＩＸを取入空気ＱＡ、取入量ＱＢの取入空気ＭＩＸを取入空気ＱＢとする）。温水コイル１Ｂ１，１Ｂ２は冷水コイル１Ａ１，１Ａ２の下流側に並設されている。すなわち、従来の温水コイル１Ｂを分割した形で配置されており、冷水コイル１Ａ１を通過した取入空気ＱＡおよび冷水コイル１Ａ２を通過した取入空気ＱＢがＱＣとＱＤとに分かれて通過する（Ｑ＝ＱＣ＋ＱＤ：以下、取入量ＱＣの取入空気ＭＩＸを取入空気ＱＣ、取入量ＱＤの取入空気ＭＩＸを取入空気ＱＤとする）。
【００１５】
制御弁ＣＶＡは冷水コイル１Ａ１への冷水の供給通路に、制御弁ＣＶＢは冷水コイル１Ａ２への冷水の供給通路に、制御弁ＨＶＡは温水コイル１Ｂ１への温水の供給通路に、制御弁ＨＶＢは温水コイル１Ｂ２への温水の供給通路に、制御弁ＭＶは加湿器１Ｃへの蒸気の供給通路に設けられている。被制御室２には温度センサ２Ａと湿度センサ２Ｂが設けられている。
【００１６】
制御装置３’は、温度センサ２Ａからの被制御室２内の計測温度ｔｐｖと湿度センサ２Ｂからの被制御室２内の計測湿度ｈｐｖを入力とし、計測温度ｔｐｖと設定温度ｔｓｐとが一致するように、また計測湿度ｈｐｖと設定湿度ｈｓｐとが一致するように、制御弁ＣＶＡ，ＣＶＢ，ＨＶＡ，ＨＶＢ，ＭＶの開度を制御する。
〔中間期の制御例１：ＣＶＡ：１００％、ＣＶＢ：０％、ＨＶＡ：３０％、ＨＶＢ：０％の場合〕
中間期の制御例１を図２の空気線図を参照しながら説明する。今、中間期で、計測湿度ｈｐｖと設定湿度ｈｓｐ（ｈｐＶ＞ｈｓｐ）との差Δｈが小さく、所定の範囲Ｗ１内にあるものとする（図３（ｂ）参照）。この場合、制御装置３’は、冷水コイル１Ａ１のみを使用して取込空気ＭＩＸの冷却・除湿を行う。すなわち、冷水コイル１Ａ２側の制御弁ＣＶＢの開度を０％（全閉）とし、計測湿度ｈｐｖと設定湿度ｈｓｐとの差Δｈに応じた量だけ冷水コイル１Ａ１側の制御弁ＣＶＡを開く。この例では、Δｈが所定の範囲Ｗ１の上限にあり、制御弁ＣＶＡの開度が１００％（全開）とされるものとする（図３（ｂ）に示すポイント▲１▼参照）。
【００１７】
これにより、冷水コイル１Ａ１にのみ冷水が供給され、冷水コイル１Ａ１を通過する取入空気ＱＡのみが冷却される。この場合、冷水コイル１Ａ２には冷水が供給されないので、冷水コイル１Ａ２を通過する取入空気ＱＢは冷却されない。取入空気ＭＩＸは、外気ＯＡとレタン空気ＲＡとの混合空気であり、外気ＯＡの状態点ＰOAとレタン空気ＲＡの状態点ＰRAとを結ぶ直線上のＰMIX 点にある。このＰMIX 点にある取込空気ＭＩＸの全量ＱのうちＱＡが１００％開度の冷水コイル１Ａ１により冷却されて、露点温度に達し（Ｐ１点）、水分が吐き出され始める。これにより、状態点が飽和線に沿って下方へ移動し、状態点Ｐ２に達する。この状態点Ｐ２までの移動により、取込空気ＱＡ内の絶対湿度が被制御室２内の湿度をｈｐｖ＝ｈｓｐとするために必要な値とされる。
【００１８】
冷水コイル１Ａ１を通過した取入空気（冷却・除湿された取入空気）ＱＡおよび冷水コイル１Ａ２を通過した取入空気（冷却・除湿されていない取入空気）ＱＢは、ＱＣとＱＤとに分かれて温水コイル１Ｂ１，１Ｂ２を通過する。この場合、厳密には、ＱＡの大部分とＱＢの一部がＱＣとして温水コイル１Ｂ１を通過し、ＱＢの大部分とＱＡの一部がＱＤとして温水コイル１Ｂ２を通過するが、説明を簡単とするために、ＱＡがＱＣとして温水コイル１Ｂ１を通過し、ＱＢがＱＤとして温水コイル１Ｂ２を通過するものとする。
【００１９】
次に、制御装置３’は、ｔｐｖ＝ｔｓｐとすべき取込空気ＱＣの目標温度を演算する。今、冷却・除湿した取込空気ＱＣの温度と再熱する際の目標温度との差ΔＴが小さく、所定の範囲Ｗ２内にあるものとする（図３（ａ）参照）。この場合、制御装置３’は、温水コイル１Ｂ１のみを使用して取込空気ＱＣの再熱を行う。すなわち、温水コイル１Ｂ２側の制御弁ＨＶＢの開度を０％（全閉）とし、冷却・除湿した取込空気ＱＣの温度と再熱する際の目標温度との差ΔＴに応じた量だけ温水コイル１Ｂ１側の制御弁ＨＶＡを開く。この例では、ΔＴが所定の範囲Ｗ２内にあり、制御弁ＨＶＡの開度が３０％とされるものとする（図３（ａ）に示すポイント▲１▼参照）。
【００２０】
これにより、温水コイル１Ｂ１にのみ温水が供給され、温水コイル１Ｂ１を通過する取入空気ＱＣのみが再熱され、その状態点がＰ２からＰ３まで移動する。この場合、温水コイル１Ｂ２には温水が供給されないので、温水コイル１Ｂ２を通過する取入空気ＱＤは再熱されない。被制御室２には、この温水コイル１Ｂ１を通過した取入空気ＱＣと温水コイル１Ｂ２を通過した取入空気ＱＤとの混合空気、すなわち冷却・除湿→再熱が施された取入空気ＱＣと冷却・除湿→再熱が施されていない取入空気ＱＤとの混合空気が給気ＳＡとして供給される。この場合、給気ＳＡの状態点ＰSAは、冷却除湿されていない取入空気ＱＤの状態点ＰMIX と冷却・除湿→再熱が施された取入空気ＱＣの状態点Ｐ３とを結ぶ直線上にあり、その位置は取入空気ＱＣとＱＤとの比率により決定される。この状態点ＰSAの給気ＳＡが被制御室２へ供給されることによって、被制御室２内の湿度がｈｐｖ＝ｈｓｐに、温度がｔｐｖ＝ｔｓｐに合わせ込まれる。
【００２１】
この中間期の制御例１から分かるように、本実施の形態によれば、取入空気ＭＩＸの全量Ｑに冷却・除湿→再熱を施さなくても状態点ＰSAの給気ＳＡを得ることができる。これにより、冷却・除湿→再熱に必要なエネルギーが削減され、省エネルギーが実現される。
【００２２】
〔中間期の制御例２：ＣＶＡ：１００％、ＣＶＢ：５０％、ＨＶＡ：５０％、ＨＶＢ：０％の場合〕
中間期の制御例２を図４の空気線図を参照しながら説明する。今、中間期で、計測湿度ｈｐｖと設定湿度ｈｓｐ（ｈｐＶ＞ｈｓｐ）との差Δｈが大きく、所定の範囲Ｗ１を越えているものとする。この場合、制御装置３’は、冷水コイル１Ａ２を追加使用して取込空気ＭＩＸの冷却または冷却・除湿を行う。すなわち、冷水コイル１Ａ１側の制御弁ＣＶＡの開度を１００％（全開）とし、計測湿度ｈｐｖと設定湿度ｈｓｐとの差Δｈが所定の範囲Ｗ１を越えた分に応じた量だけ冷水コイル１Ａ２側の制御弁ＣＶＢを開く。この例では、制御弁ＣＶＢの開度が５０％（半開）とされるものとする（図３（ｂ）に示すポイント▲２▼参照）。
【００２３】
これにより、冷水コイル１Ａ１および１Ａ２に冷水が供給され、冷水コイル１Ａ１を通過する取入空気ＱＡおよび冷水コイル１Ａ２を通過する取入空気ＱＢが冷却される。取入空気ＭＩＸは、外気ＯＡとレタン空気ＲＡとの混合空気であり、外気ＯＡの状態点ＰOAとレタン空気ＲＡの状態点ＰRAとを結ぶ直線上のＰMIX 点にある。このＰMIX 点にある取込空気ＭＩＸの全量ＱのうちＱＡが１００％開度の冷水コイル１Ａ１により冷却されて、露点温度に達し（Ｐ１点）、水分が吐き出され始める。これにより、状態点が飽和線に沿って下方へ移動し、状態点Ｐ２に達する。この状態点Ｐ２までの移動により、取入空気ＱＡ内の絶対湿度が被制御室２内の湿度をｈｐｖ＝ｈｓｐとするために必要な値とされる。一方、ＰMIX 点にある取込空気ＭＩＸの全量ＱのうちＱＢが５０％開度の冷水コイル１Ａ２により冷却されて、状態点Ｐ４に達する。
【００２４】
冷水コイル１Ａ１を通過した取入空気（冷却・除湿された取入空気）ＱＡおよび冷水コイル１Ａ２を通過した取入空気（冷却された取入空気）ＱＢは、ＱＣとＱＤとに分かれて温水コイル１Ｂ１，１Ｂ２を通過する。この場合、厳密には、ＱＡの大部分とＱＢの一部がＱＣとして温水コイル１Ｂ１を通過し、ＱＢの大部分とＱＡの一部がＱＤとして温水コイル１Ｂ２を通過するが、説明を簡単とするために、ＱＡがＱＣとして温水コイル１Ｂ１を通過し、ＱＢがＱＤとして温水コイル１Ｂ２を通過するものとする。
【００２５】
次に、制御装置３’は、ｔｐｖ＝ｔｓｐとすべき取込空気ＱＣの目標温度を演算する。今、冷却・除湿した取込空気ＱＣの温度と再熱する際の目標温度との差ΔＴが小さく、所定の範囲Ｗ２内にあるものとする。この場合、制御装置３’は、温水コイル１Ｂ１のみを使用して取込空気ＱＣの再熱を行う。すなわち、温水コイル１Ｂ２側の制御弁ＨＶＢの開度を０％（全閉）とし、冷却・除湿した取込空気ＱＣの温度と再熱する際の目標温度との差ΔＴに応じた量だけ温水コイル１Ｂ１側の制御弁ＨＶＡを開く。この例では、ΔＴが所定の範囲Ｗ２内にあり、制御弁ＨＶＡの開度が５０％とされるものとする（図３（ａ）に示すポイント▲２▼参照）。
【００２６】
これにより、温水コイル１Ｂ１にのみ温水が供給され、温水コイル１Ｂ１を通過する取入空気ＱＣのみが再熱され、その状態点がＰ２からＰ３まで移動する。この場合、温水コイル１Ｂ２には温水が供給されないので、温水コイル１Ｂ２を通過する取入空気ＱＤは再熱されない。被制御室２には、この温水コイル１Ｂ１を通過した取入空気ＱＣと温水コイル１Ｂ２を通過した取入空気ＱＤとの混合空気、すなわち冷却・除湿→再熱が施された取入空気ＱＣと冷却が施された取入空気ＱＤとの混合空気が給気ＳＡとして供給される。この場合、給気ＳＡの状態点ＰSAは、冷却が施された取入空気ＱＤの状態点Ｐ４と冷却・除湿→再熱が施された取入空気ＱＣの状態点Ｐ３とを結ぶ直線上にあり、その位置は取入空気ＱＣとＱＤとの比率により決定される。この状態点ＰSAの給気ＳＡが被制御室２へ供給されることによって、被制御室２内の湿度がｈｐｖ＝ｈｓｐに、温度がｔｐｖ＝ｔｓｐに合わせ込まれる。
【００２７】
この中間期の制御例２から分かるように、本実施の形態によれば、取入空気ＭＩＸの全量Ｑに冷却・除湿→再熱を施さなくても状態点ＰSAの給気ＳＡを得ることができる。これにより、冷却・除湿→再熱に必要なエネルギーが削減され、省エネルギーが実現される。
【００２８】
〔夏期の制御例：ＣＶＡ：１００％、ＣＶＢ：１００％、ＨＶＡ：１００％、ＨＶＢ：１００％の場合〕
夏期の制御例を図５の空気線図を参照して説明する。今、夏期で、計測湿度ｈｐｖと設定湿度ｈｓｐ（ｈｐＶ＞ｈｓｐ）との差Δｈが大きく、所定の範囲Ｗ１を大きく越えているものとする。この場合、制御装置３’は、冷水コイル１Ａ１と１Ａ２を使用して取込空気ＭＩＸの冷却・除湿を行う。この例では、冷水コイル１Ａ１側の制御弁ＣＶＡと冷水コイル１Ａ２側の制御弁ＣＶＢの両方の開度を１００％（全開）とする（図３（ｂ）に示すポイント▲３▼参照）。
【００２９】
これにより、冷水コイル１Ａ１および１Ａ２に冷水が供給され、冷水コイル１Ａ１を通過する取入空気ＱＡおよび冷水コイル１Ａ２を通過する取入空気ＱＢが冷却される。取入空気ＭＩＸは、外気ＯＡとレタン空気ＲＡとの混合空気であり、外気ＯＡの状態点ＰOAとレタン空気ＲＡの状態点ＰRAとを結ぶ直線上のＰMIX 点にある。
【００３０】
このＰMIX 点にある取込空気ＭＩＸの全量ＱのうちＱＡが１００％開度の冷水コイル１Ａ１により冷却されて、露点温度に達し（Ｐ１点）、水分が吐き出され始める。これにより、状態点が飽和線に沿って下方へ移動し、状態点Ｐ２に達する。この状態点Ｐ２までの移動により、取込空気ＱＡ内の絶対湿度が被制御室２内の湿度をｈｐｖ＝ｈｓｐとするために必要な値とされる。
【００３１】
また、ＰMIX 点にある取込空気ＭＩＸの全量ＱのうちＱＢが１００％開度の冷水コイル１Ａ２により冷却されて、露点温度に達し（Ｐ１点）、水分が吐き出され始める。これにより、状態点が飽和線に沿って下方へ移動し、状態点Ｐ４に達する。この状態点Ｐ４までの移動により、取込空気ＱＢの絶対湿度が被制御室２内の湿度をｈｐｖ＝ｈｓｐとするために必要な値とされる。
【００３２】
冷水コイル１Ａ１を通過した取入空気（冷却・除湿された取入空気）ＱＡおよび冷水コイル１Ａ２を通過した取入空気（冷却・除湿された取入空気）ＱＢは、ＱＣとＱＤとに分かれて温水コイル１Ｂ１，１Ｂ２を通過する。この場合、厳密には、ＱＡの大部分とＱＢの一部がＱＣとして温水コイル１Ｂ１を通過し、ＱＢの大部分とＱＡの一部がＱＤとして温水コイル１Ｂ２を通過するが、説明を簡単とするために、ＱＡがＱＣとして温水コイル１Ｂ１を通過し、ＱＢがＱＤとして温水コイル１Ｂ２を通過するものとする。
【００３３】
次に、制御装置３’は、ｔｐｖ＝ｔｓｐとすべき取込空気ＱＣおよびＱＤの目標温度を演算する。今、冷却・除湿した取込空気ＱＣおよびＱＤの温度と再熱する際の目標温度との差ΔＴが大きく、所定の範囲Ｗ２を遙かに越えているものとする。この場合、制御装置３’は、温水コイル１Ｂ１と１Ｂ２を使用して取込空気ＱＣおよびＱＤの再熱を行う。すなわち、温水コイル１Ｂ１側の制御弁ＨＶＡの開度と温水コイル１Ｂ２側の制御弁ＨＶＢの開度の両方を１００％（全開）とする（図３（ａ）に示すポイント▲３▼参照）。
【００３４】
これにより、温水コイル１Ｂ１に温水が供給され、温水コイル１Ｂ１を通過する取入空気ＱＣが再熱され、その状態点がＰ２からＰ３まで移動する。また、温水コイル１Ｂ２に温水が供給され、温水コイル１Ｂ２を通過する取入空気ＱＤが再熱され、その状態点がＰ４からＰ５まで移動する。被制御室２には、この温水コイル１Ｂ１を通過した取入空気ＱＣと温水コイル１Ｂ２を通過した取入空気ＱＤとの混合空気、すなわち冷却・除湿→再熱が施された取入空気ＱＣと冷却・除湿→再熱が施されたＱＤとの混合空気が給気ＳＡとして供給される。この場合、給気ＳＡの状態点ＰSAは、冷却・除湿→再熱が施された取入空気ＱＣの状態点Ｐ３と冷却・除湿→再熱が施された取入空気ＱＤの状態点Ｐ５とを結ぶ直線上にあり、その位置は取入空気ＱＣとＱＤとの比率により決定される。この状態点ＰSAの給気ＳＡが被制御室２へ供給されることによって、被制御室２内の湿度がｈｐｖ＝ｈｓｐに、温度がｔｐｖ＝ｔｓｐ合わせ込まれて行く。
【００３５】
なお、上述した実施の形態では、湿度差Δｈが所定の範囲Ｗ１内にある場合には冷水コイル１Ａ１を使用し、所定の範囲Ｗ１を越えた場合には冷水コイル１Ａ２を追加使用するようにしたが、その使用順序を逆にするようにしてもよい。例えば、湿度差Δｈに基づき、Δｈが大きい場合には先に能力の高い冷水コイル１Ａ１を使用するようにし、Δｈが小さい場合には先に能力の低い冷水コイル１Ａ２を使用するようにしてもよい。同様にして、温水コイル１Ｂ１，１Ｂ２についても、温度差ΔＴに基づき、ΔＴが大きい場合には先に能力の高い温水コイル１Ｂ１を使用するようにし、ΔＴが小さい場合には先に能力の低い温水コイル１Ｂ２を使用するようにしてもよい。このようにすることによって、少ないエネルギーで効率のよい空調運転を行うことが可能となる。
【００３６】
【発明の効果】
以上説明したことから明らかなように本発明によれば、計測湿度と設定湿度との差が所定の範囲内にある場合（軽負荷時）には、第１の冷水コイルのみを使用して取込空気の冷却・除湿が行われ、また、冷却・除湿した取込空気の温度と再熱する際の目標温度との差が所定の範囲内にある場合（軽負荷時）には、第１の温水コイルのみを使用して取込空気の再熱が行われ、取入空気の全量に冷却・除湿→再熱を施さなくても所望の状態点の給気を得ることができるようになり、軽負荷時の冷却・除湿→再熱に必要なエネルギーを削減し、省エネルギーを実現することが可能となる。
【図面の簡単な説明】
【図１】  本発明の一実施の形態を示す恒温恒湿空調制御システムの計装図である。
【図２】  中間期の制御例１を説明するための空気線図である。
【図３】  各制御弁の温度制御動作および湿度制御動作を示す図である。
【図４】  中間期の制御例２を説明するための空気線図である。
【図５】  夏期の制御例を説明するための空気線図である。
【図６】  従来の恒温恒湿空調制御システムの計装図である。
【図７】  従来の各制御弁の温度制御動作および湿度制御動作を示す図である。
【図８】  従来の冷却・除湿→再熱動作を説明するための空気線図である。
【符号の説明】
１’…空調機、１Ａ１…第１の冷水コイル（Ｗｅｔコイル）、１Ａ２…第２の冷水コイル（Ｄｒｙコイル）、１Ｂ１…第１の温水コイル、１Ｂ２…第２の温水コイル、１Ｃ…加湿器、１Ｄ…送風機、２…被制御室、２Ａ…温度センサ、２Ｂ…湿度センサ、３’…制御装置、ＣＶＡ，ＣＶＢ，ＨＶＡ，ＨＶＢ，ＭＶ…制御弁。
【図１】
0003958528.tif 000002
【図２】
0003958528.tif 000003
【図３】
0003958528.tif 000004
【図４】
0003958528.tif 000005
【図５】
0003958528.tif 000006
【図６】
0003958528.tif 000007
【図７】
0003958528.tif 000008
【図８】
0003958528.tif 000009